(57)【要約】      （修正有）【課題】開封及びティシュの取り出しが容易でまたティシュが継続してスムーズに取出すことができる衛生用紙入りカートンを提供する。【解決手段】ティシュの取出口10を被覆するフィルムがない衛生用紙入りカートンにおいて、取出口10を形成する切取部は、帯状切取部24と長手方向両端部の端部切取部14からなり、帯状切取部24は、両端部側は中央部よりも広がった形状に形成され、端部切取部14は、帯状切取部24と一体に形成されその帯状切取部24よりも広幅に形成され、また、取出口10を形成する切取部を挟んだ両側に、箱の長手方向に沿って外側に膨らんだ曲線状の折れ線16によって構成される第１ヒンジ部を形成して、切込線11と該ヒンジ部とに囲まれた一対の第１フラップ部17が形成され、さらに、箱の短手方向に沿う折れ線18によって構成される第２ヒンジ部を形成して、端部切取部14に接する第２フラップ部19が形成されている。【選択図】図１
2005225562.tif 000002
【特許請求の範囲】
【請求項１】
箱の上下少なくとも一方の面に箱内に収納した紙の取出口形成のために、その取出口形状に沿って切込線が形成され、かつ該取出口を有する面の内側にその取出口を被覆するフィルムが配置されていない衛生用紙入りカートンにおいて、
該取出口を形成する切取部は、中間部の帯状切取部と長手方向両端部の端部切取部からなり、
前記中間部の帯状切取部においては、その中央部分が括れた形状に形成され、両端部側は前記中央部よりも広がった形状に形成され、
前記長手方向両端部の端部切取部においては、前記帯状切取部と一体に形成されながらその帯状切取部よりも広幅に形成され、
また、前記取出口を形成する切取部を挟んだ両側に、箱の長手方向に沿って外側に向かって膨らんだ曲線状の折れ線によって構成される第１ヒンジ部を形成して、前記切込線と前記ヒンジ部を構成する曲線状の折れ線とによって囲まれた横長の一対の第１フラップ部が形成され
さらに、前記切取部の長手方向両端部の外側に、箱の短手方向に沿う折れ線によって構成される第２ヒンジ部を形成して、前記端部切取部に接する舌片状の第２フラップ部が形成され、
ていることを特徴とする衛生用紙入りカートン。
【請求項２】
前記帯状切取部は中央部ほど幅の狭い形状であることを特徴とする請求項１記載の衛生用紙入りカートン。
【請求項３】
前記帯状切取部を形成するための切込線は、２本または２組の切込線からなることを特徴とする請求項１又は２記載の衛生用紙入りカートン。
【請求項４】
前記端部切取部の外縁を構成する端部切込線は、波形状をした滑らかな切込線として形成され、この波形の切込線により該端部切取部には双丘形の摘み部が形成されることを特徴とする請求項１〜３の何れか１項に記載の衛生用紙入りカートン。
【請求項５】
前記帯状切取部と端部切取部は折れ線により区分されていることを特徴とする請求項１〜４の何れか１項に記載の衛生用紙入りカートン。
【請求項６】
前記帯状切取部とその両端部に位置する端部切取部は、切込線によって分離できるように構成され、かつ前記帯状切取部の長手方向両端部に食い込むように、端部切取部に連結された指先押込部が相対向して対となるように形成されていることを特徴とする請求項１〜４の何れか１項に記載の衛生用紙入りカートン。
【請求項７】
前記帯状切取部とその両端部に位置する端部切取部を分割する切込線は、ほぼ扇形をした円弧状切込み線と、その円弧状切込み線の両端基部に連なる直線状切込線で形成されていることを特徴とする請求項６に記載の衛生用紙入りカートン。
【請求項８】
前記端部切取部を切取った後に、前記ほぼ扇形をした円弧状切込み線と第１フラップ部との間に、衛生用紙を挟み込むための保持部が形成されることを特徴とする請求項７に記載の衛生用紙入りカートン。
【請求項９】
前記一対の第１フラップ部の両側に設けられた曲線状の折れ線は、その端部の折れ線が中央部の折れ線より太く、浅い型押し筋で形成されたものであることを特徴とする請求項１〜８の何れか１項に記載の衛生用紙入りカートン。
【発明の詳細な説明】
【技術分野】
【０００１】
本発明は、主にティシュペーパー等の衛生用紙を収納したカートンに関するものである。更に詳しく述べると、紙箱の上下少なくとも一方の面に、衛生用紙を取出すための紙の取出口（開口部）を設けると共に箱の内面に取出口を被覆する窓貼りフィルムの貼りつけを必要としない所謂フィルムレスティシュカートンの取出口の構造に関する。
特に本発明は、使用時の操作性と安全性に配慮して、取出口を形成する切取部の形状を手先で扱い易く、優しい印象をもつフォルムとし、また箱内部に積層されて収納されている紙の１枚目を取出口から取出し易くし、また、２枚目以後の紙も取出口から外部に引出すときに、縦方向に一直線状に取出したり、斜め方向にクロスさせて引出すことを想定して、その場合にも取出し易い取出口の構造に関するものである。
なお、本発明でいう「衛生用紙」とは、ティシュペーパー（顔ふき紙、化粧紙などと呼ばれるもの）、ちり紙、ペーパータオル(キッチンペーパーなど)、トイレットペーパー（ロールを除く）、ワッティング(紙綿)などの使い捨て紙を総称する概念である。
【背景技術】
【０００２】
家庭やオフィス等で広く使われているティシュペーパーを収納したカートンは、略直方体の収納箱の一面（通常は箱の上面）に、ティシュペーパーを取り出すための取出口を設けた構造である。使用者は、箱の一面（通常は箱の上面）に設けられているほぼ楕円形状のミシン目状切込線に沿って切取片を切り離して、取出口（開口部）を細長く開く。この取出口の内面には、通常、取出口を被覆するポリエチレンフィルム等のフィルムが貼着され、フィルムの中央部には直線状のスリットが設けられている(例えば、特許文献１参照。)。
このようなカートンにおいては、内容物であるティシュペーパーはフィルムのスリットを通して外部へ引き出される。カートン内部のティシュペーパーは、通例２枚一組として、一組一組が継続して箱から取出せるように交互に折り重ねられて収納され、スリットからティシュペーパー１組が引き出されたときに、次のティシュペーパー１組が箱の内部からスリットに保持される位置まで引き出されるように、所謂ポップアップ方式で折り畳まれている。
箱の内面に貼着した前記フィルムは、外部の塵や異物に対して内容物を保護し、また、ティシュペーパーを外部に取出す際に、フィルムのスリット間での摩擦により所謂ポップアップしたティシュペーパーが箱の内部に落ち込むことを防ぎ、ティシュペーパーを所定位置に保持する役割を果たしている。
【０００３】
これに対し、ポリエチレン等のプラスチックフィルムの材料コストおよび同フィルムを箱に貼りつける工程を省く目的で、取出口内面にフィルムを貼着しない構造の所謂「フィルムレスティシュカートン」が既に提案されている。すなわち、ティシュペーパーの箱の取出口にフィルムを貼着しないで、取出口を観音開き状に開口可能したティシュペーパー包装箱が知られている(例えば、特許文献２、特許文献３、特許文献４参照。)。
また、前例と同様な「フィルムレスティシュカートン」において、箱の長手方向に細長く、ほぼひし形に形成した取出口の長手方向両端部を特定な角度形状に開口させることで、取出し中のティシュペーパーを取出口の両端部で保持できるようにして、箱内部への落ち込みをなくしたティシュペーパー入りカートンが知られている(例えば、特許文献５参照)。
更に、取出口の形状をひし形に限定しないで、取出口の両端縁にスリットを形成してティシュペーパーを挟むようにしたカートンも知られている（例えば、特許文献６参照）。
【０００４】
近年、環境問題の一つである廃棄物の処理に関して、特に容器包装廃棄物について、消費者の分別排出、自治体の分別収集、事業者のリサイクル責任を明確にした「容器リサイクル法」が１９９７年から本格施行され、循環型経済社会の構築に向けた動きが加速している。こうした動きの中で、ティシュペーパー、キッチンペーパーなどの衛生用紙の使用済みカートンを廃棄するとき、取出口に貼着したプラスチックフィルムをカートン本体からひき剥がし、分別して廃棄しなければならないため、廃棄時に手間がかかってしまうという新たな問題が発生している。そこで、「フィルムレスティシュカートン」は、カートンを古紙として回収し、リサイクルするとき、紙とプラスチックとに分別する手間を省き、そのまま押しつぶすだけでリサイクル処理にまわすことができるなどの利点により消費者の注目を集め、その需要はますます増大している。
こうしたことから、本出願人も「フィルムレスティシュカートン」を提案している(例えば、非特許文献１参照。)。
【特許文献１】実公昭４１−６４６４号公報
【特許文献２】実開昭５７−１６７０８０号公報
【特許文献３】特開平９−１５０８７１号公報
【特許文献４】実開平４−８０８７８号公報
【特許文献５】実開平６−７２８８３号公報
【特許文献６】特開平９−３０５７３号公報
【非特許文献１】王子製紙広報誌「森の響」、王子製紙広報室、２００３年６月２０日発行、夏号、Ｐ２５-２６
【発明の開示】
【発明が解決しようとする課題】
【０００５】
しかしながら前述した「フィルムレスティシュカートン」においては、前記特許文献２〜６の場合、取出口両端部の形状が直線状であったり、フラップ端部の形状が角張っていたりすることにより、ティシュペーパーを外部に取出す際に、ティシュペーパーが取出口の角部等に引っかかりやすく、上方に引き上げたときに破れたり、ティシュペーパー一組一組ずつがポップアップ方式で継続してスムーズに取出すことができないという問題がある。また、取出しの際にティシュペーパーが箱とこすれて発生する音が意外に大きく、気になるといった問題もあった。
【０００６】
ティシュペーパーの紙力は、収納箱内に保持されているティシュペーパーを引き出す方向での紙力が問題であるが、紙力はティシュペーパーの他の品質要件との関連もあり、その変更は容易ではない。また、ティシュペーパー取出口の大きさは、大きい方が破れにくいが、大きすぎるとポップアップしたティシュペーパーを取出口の所定位置に保持しにくくなり、箱の中に落ちやすくなるという問題が発生する。
【０００７】
一方、特許文献５に示すカートンは、略ひし形状をした取出口の長手方向両端部の開口角度を６０度から１７０度に設定したものであるが、その開口角度が６０度未満のものではティシュペーパーを取出す際に角部に引っ掛かって破れたり取出しにくくなる一方、１７０度を超えると把持機能が低下して、ティシュペーパーが箱の中に落下しやすいなどの問題があった。
【０００８】
また、特許文献６のカートンの場合はスリットの入り口が狭いので、ティシュペーパーが取出し易いと言えないと共に、スリット部の形状が滑らかな形状でないので、ティシュペーパーが角部に引っ掛かるという問題があった。
【０００９】
前述した問題を改善する試みとして、本出願人は、非特許文献１により「フィルムレスボックス」を開示している。この「フィルムレスボックス」は、ジッパー形式の切取部で形成する紙の取出口と、その取出口の前後両側に紙を保持する一対のフラップを設けた構造である。この「フィルムレスボックス」は前記取出口を形成する切取部の左右両端部のフォルムを円弧状の曲線により構成することで、箱内のティシュペーパーを外に引き出す際に、切取部の角などに引っ掛かって破れるのを防ぎ、また使用中に箱の中にティシュペーパーが落下せずにティシュペーパー一組一組ずつをポップアップ方式で継続してスムーズに取出すことができるようにしたものである。しかしながら、紙の取出口を形成する切取部の形状は幅が細い帯状であるため、ジッパーを開封操作する際に摘み上げにくく、開封しにくかった。また開封時、幅の狭い切取部で手が擦れて傷つくおそれがある。さらに、取出口にゆとりがないので箱内部に積層されて収納されている紙の一枚目を取出口から取出し難く、さらに、２枚目以後の紙も取出口から外部に引出すときに、使用者の利き手の方向や、紙を斜めの方向に引出す場合は、フラップ部分が損傷したり、フラップに紙がひっかかることがあるなど不都合な点があった。
【００１０】
そこで本発明のフィルムレスティシュカートンは、上記問題を解決し開封が容易で、開封後の一枚目、および２枚目以後のティシュペーパーの取り出しも容易な衛生用紙のカートンを提供するものであり、角部に引っ掛かって破れるという問題を解決するのと同時に、使用中に箱の中にティシュペーパーが落下せずにティシュペーパー一組一組ずつをポップアップ方式で継続してスムーズに取出すことができ、さらにカートン使用後の廃棄時に、紙とプラスチックとに分別する手間が省けるフィルムレスティシュカートンを提供するものである。
【課題を解決するための手段】
【００１１】
上記の課題を解決するために本発明の第１は、箱の上下少なくとも一方の面に箱内に収納した紙の取出口形成のために、その取出口形状に沿って切込線が形成され、かつ該取出口を有する面の内側にその取出口を被覆するフィルムが配置されていない衛生用紙入りカートンにおいて、
該取出口を形成する切取部は、中間部の帯状切取部と長手方向両端部の端部切取部からなり、
前記中間部の帯状切取部においてはその中央部分が括れた形状に形成され、両端部側は前記中央部よりも広がった形状に形成され、
前記長手方向両端部の端部切取部においては、前記帯状切取部と一体に形成されながら帯状切取部よりも広幅に形成され、
また、前記取出口を形成する切取部を挟んだ両側に、箱の長手方向に沿って外側に向かって膨らんだ曲線状の折れ線によって構成される第１ヒンジ部を形成して、前記切込線と前記第１ヒンジ部を構成する曲線状の折れ線とによって囲まれた横長の一対の第１フラップ部が形成され
さらに、前記切取部の長手方向両端部の外側に、箱の短手方向に沿う折れ線によって構成される第２ヒンジ部を形成して、前記端部切取部に接する舌片状の第２フラップ部が形成され、
ていることを特徴とする衛生用紙入りカートンである。
【００１２】
本発明の第２は、前記帯状切取部は中央部ほど幅の狭い形状であることを特徴とする第１発明の衛生用紙入りカートンである。
【００１３】
本発明の第３は、前記帯状切取部を形成するための切込線は、２本または２組の切込線からなることを特徴とする第１又は第２発明の衛生用紙入りカートンである。
【００１４】
本発明の第４は、前記端部切取部の外縁を構成する端部切込線は、波形状をした滑らかな切込線として形成され、この波形の切込線により該端部切取部には双丘形の摘み部が形成されることを特徴とする第１発明から第３発明の何れかに記載の衛生用紙入りカートンである。
【００１５】
本発明の第５は、前記帯状切取部と端部切取部は折れ線により区分されていることを特徴とする第１発明から第４発明の何れかに記載の衛生用紙入りカートンである。
【００１６】
本発明の第６は、前記帯状切取部とその両端部に位置する端部切取部は、切込線によって分離できるように構成され、かつ前記帯状切取部の長手方向両端部に食い込むように、端部切取部に連結された指先押込部が相対向して対となるように形成されていることを特徴とする第１発明から第４発明の何れかに記載の衛生用紙入りカートンである。
【００１７】
本発明の第７は、前記帯状切取部とその両端部に位置する端部切取部を分割する切込線は、ほぼ扇形をした円弧状切込み線と、その円弧状切込み線の両端基部に連なる直線状切込線で形成されていることを特徴とする第６発明に記載の衛生用紙入りカートンである。
【００１８】
本発明の第８は、前記端部切取部を切取った後に、前記ほぼ扇形をした円弧状切込み線と第１フラップ部との間に、衛生用紙を挟み込むための保持部が形成されることを特徴とする第７発明に記載の衛生用紙入りカートンである。
【００１９】
本発明の第９は、前記一対の第１フラップ部の両側に設けられた曲線状の折れ線は、その端部の折れ線が中央部の折れ線より太く、浅い型押し筋で形成されたものであることを特徴とする第１発明から第８発明の何れかに記載の衛生用紙入りカートンである。
【発明の効果】
【００２０】
本発明のティシュペーパー、キッチンペーパーなどの衛生用紙を収納したカートンは、紙の取出口を形成する切取部を、中間部と長手方向両端部とに区分し、前記中間部においては、中央部分は括れた形状に形成され、両端部側は前記中央部よりも広がった形状に形成され、前記長手方向両端部においては、前記中間部と一体に形成されながらその中間部よりも幅広に形成することにより、紙の取出口を形成する切取部の形状を、略蝶ネクタイ形の形状に仕上げることにより開口部の見た目が優美でやわらかな印象となり、美観に優れる。また、取出口を形成する切取部の長手方向両端部を幅広くすることにより、取出口を開封する際に、両端部が摘み易く、開封が容易である。さらに、開封後に衛生用紙の最初の一枚を取り出すのも幅の広い取出口端部に、指を容易に差し入れることができ、確実に最初の一枚を摘み上げることができ、さらに取出口で手を擦って傷つけるおそれがない。さらにまた取出口を左右および前後に対称な形状に形成しているため、平面置き、立て置きなどいろいろな置き方に対応し、使用者の利き手に左右されずに、誰にでも使いやすい工夫がなされている。
【００２１】
また、取出口にフィルムを配置しなくても、取出口中間部が括れ、かつ取出口中間部に向かって両側から弧状に張り出した横長で一対の第１フラップ部にペーパーが挟まれながら取り出されるので、取出し途中のペーパーが箱の中に落下することがなく、取出しが容易である。また、前記一対の第１フラップ部の挟み込み作用により、ペーパーが１枚または１組毎に取出され易いので、重なって必要以上に取出されることも防止できる。
また、前記取出口の長手方向両端部は、波形状をした滑らかな切込線として形成されているためティシュペーパー等の取出しに際して、ティシュペーパーが取出口の両端部に引っかかって破れることがない。特に箱入りのティシュペーパーの場合、インターフォルダーという折り構造で交互に折り畳んで積層収納されているため、ティシュペーパーの取り出される方向が交互に変化するものであるが、ティシュペーパーの折り畳み方向の変化に対応して振り分けがなされて、ティシュペーパーの取り出し方向の移動がスムーズに行われることになり、紙の破れや引っ掛かりの防止に優れている。また、こうした作用によりティシュペーパー取り出しの際に箱とティシュペーパー間の摩擦が軽減され、ティシュペーパーの取り出しの音は発生しにくく、静かに取り出すことができる。
また、取出口における中央開口部の幅を狭くすることで、ペーパーを取り出さないときには、塵や異物も侵入し難い構造である。
【００２２】
又、本発明は、カートンを開封する際に、使用者それぞれのニーズに合わせて、例えば図１３または図１４に示すように、ティシュペーパー取出口を形成する切取部の開口面積を大きくも小さくも調節できる。
さらに、取出口の内側にフィルムを配置しなくてもよいので、廃棄時に紙製カートンとフィルムの分別作業が必要なくなり、環境にやさしい製品である。さらに、フィルムを無くすことにより材料費の節約に留まらず、製造工程が短縮でき、省エネルギ、省資源を達成できる。
【発明を実施するための最良の形態】
【００２３】
次に本発明の実施形態に基づいて、本発明をさらに詳細に説明する。
本発明は、ティシュペーパー、キッチンペーパーなどの衛生用紙を収納する略直方体形状のカートンであり、少なくとも上面に紙の取出口を有している。この発明において、カートンに収納される衛生用紙は、ティシュペーパー(顔ふき紙、化粧紙などとも称する)、ちり紙、ペーパータオル(キッチンタオル、キッチンシート、あくとりシートと呼ばれる主にキッチンで使用されるペーパーを含んでいる)、トイレットペーパー（但しロールを除く）、ワッティング(紙綿)、などの使い捨て紙である(紙パルプ技術便覧第５版、第４５９頁参照、１９９２年１月３０日発行、紙パルプ技術協会編集・発行)。本発明においては、これらの使い捨て紙の総称として、衛生用紙と言う語句を用いている。一般に、「ティシュペーパー」と言う語句は、顔ふき紙、トイレットペーパーなどの使い捨て紙全般を指す語句として用いる場合も多いが、狭義では、通常ドライクレープを有し、主に顔拭き用として用いるフェイシャルティシュペーパーに限定して用いており、本明細書では後者を採用した。また、「ペーパータオル」は、ふきん、タオルの代用品としてパルプ繊維を主原料として製造されるペーパーであり、この内、主にキッチンにおいて使用されるものをキッチンペーパーと称している。
【００２４】
本発明におけるカートンは、木材パルプ、古紙などを原料とする厚紙などの紙材料を主体に製造した収納箱であって、主にティシュペーパー、ペーパータオル、等の衛生用紙を収納した収納箱である。更に詳しく述べると、紙箱の上下少なくとも一方の面（通常は上面）に、衛生用紙を取出すための取出口（開口部）を設けると共に箱の内面に取出口を被覆するスリットを有する窓貼りフィルムを設けない、所謂フィルムレスティシュカートンの取出口の構造に特徴がある。
【００２５】
本発明は、箱の上下少なくとも一方の面に、中央がくびれ、また箱の長手方向両端に向かって広がった「蝶ネクタイ」に似た形状の取出口を有し、該取出口を有する面の内側にフィルムが配置されていない衛生用紙入りカートンであって、取出口用の切取部形成のため、箱の長手方向に伸びる切込線１１および、該切込線１１の両端に連続する端部切込線１２を設けている。前記取出口を形成する両切込線１１、１２により囲まれてほぼ蝶ネクタイ形の切取部（開口用切取部）１３を形成するとともに、前記切取部１３の外側に、箱長手方向に伸びかつ箱の外側に向かって膨らんだ曲線状の折れ線１６によって構成された第１ヒンジ部を形成している。これにより、前記切込線１１とヒンジ部を構成する曲線状折れ線１６で囲まれた横長の一対の第１フラップ部１７が形成されている。
また、前記切取部の長手方向両端部の外側に箱の短手方向に沿って外側に向かって膨らんだ曲線状の折れ線１８によって構成される舌片状の第２ヒンジ部を形成して、前記端部切込線１２と曲線状折れ線１８とに囲まれた第２フラップ部１９，１９を形成する。切込線外側の折れ線１６および端部切込線外側の折れ線１８は通常の罫線で形成することもできる。
また、開口用切取部１３の両端付近に折れ線１５を設けて該切取部１３を中央部の帯状切取部２４と両端の端部切取部１４とに分割し、端部切取部１４を切り取りのための摘み部とし、開封の際には帯状切取部２４と端部切取部（摘み部）１４とは箱上面から一体として切り取られるように構成する。開封の際に、開口用切取部１３の摘み部として使われる端部摘み部１４は摘み上げやすいように広幅で双丘形に形成している。
【００２６】
箱の中央長手方向に伸びる切込線１１は、直線状の切れ目（スリット）で形成されていても、部分的につながりを有するミシン目状の切れ目でもよく、包装業界で「ジッパー」と呼称されている切れ目が鉤形に屈曲した開封用破断線（包装産業の周知・慣用技術集第２８１頁参照、昭和５３年１２月２０日特許庁発行）、あるいは、２重線のミシン目でもよい。
【００２７】
また前記切込線１１は、取出口形成のための切取部の幅方向に所定間隔をおいて平行でも湾曲してもよい。例えば、図１に示すように、中央部分が括れ、該中央部から両端に向かって漸増するように湾曲した切込線により形成することができる。
【００２８】
一方端部切込線１２は、波形状の曲線により構成され、例えば図１に示すように、連続する滑らかな波形状の曲線により形成されている。この切込線はミシン目状切込線またはジッパーでもよいが、切断面をなめらかにする為、連続した切れ目または、切れ目の寸法より短いつなぎ部(接続部)を有する不連続の切れ目とすることが好ましい。
【００２９】
取出口１０からカートンに収納された衛生用紙を取り出すときには、取出口の端部に形成されたいずれか一方の第２フラップ部１９を指で押圧し、これを箱内側に押し込んでから、そこから繋がっている波形状の双丘形の摘み部１４を破断し、その開口した部分から指を入れて、双丘形の摘み部１４を摘み上げて、双丘形の摘み部および双丘形の摘み部と一体に形成された切取部１３を箱上面から切り取り、開封する。開封後は、取出口の幅の広い端部から指を入れ、最上部の１枚目の衛生用紙をつまんで上方に引き出す。衛生用紙を引出す際の力に応じて、前記一対の第１フラップ部１７は、箱の外側に膨らんだ曲線状の折れ線１６に沿って、斜め上方に向かって傾斜して立ち上がりながら衛生用紙が引き出される。そして、これに続く次の衛生用紙が引出されると、開口した部分から立ち上がる第１フラップ部１７および取出口両端に突き出した舌片状の第２フラップ部１９は、衛生用紙を弾力的に挟み込んで保持する働きもする。また、衛生用紙が取り出される際、第２フラップ部１９は衛生用紙の引き出し方向が交互に変わるのをスムーズにガイドするガイド片としても機能する。
【００３０】
なお、前記のように一対の第２フラップ部１９のヒンジを構成する折れ線１８は、カートン上面の長辺側に（箱の外側に）向かって膨らんだ曲線状、好ましくは円弧状とすることにより、該フラップ部には斜め上方に開いた時に閉じ傾向の力（折り曲げ前の状態に戻ろうとする力）が働く。このために、取出中の衛生用紙を一対の第２フラップ部１９で弾力的に挟んで開口部の所定位置に保持する力が働くと共に、衛生用紙を開口部から上に向かって立てるように押さえて挟持し、中身の衛生用紙が少なくなっても、衛生用紙がカートン内へ落下することが防止できる。衛生用紙を取り出さない時には、第２フラップ部が折り曲げ前の状態に戻ろうとして蓋の役割をはたし、外部の塵や異物の侵入を防止する働きをする。
このようにフラップに閉じ傾向の力が働き、衛生用紙を保持したり、蓋の役割をはたす作用効果は第１フラップ部についても同様である。
【００３１】
尚、前述のように箱内に積層した衛生用紙は１組ずつ互い違いに折り込まれているため、引出すときには引き出し方向が交互に入れ替わる。従って、取出口の両端部には、滑らかな波形曲線で構成された半円形状の外縁をもった第２フラップ部１９が形成されている。この半円形状に突き出した第２フラップ部１９は、衛生用紙の引き出し方向が交互に入れ替わるのを振り分ける作用があり、また、第２フラップ部を含む取出口端部と第１フラップ端縁によって取り出し中の衛生用紙を保持する挟み部として機能する。
【００３２】
前記開口用切取部１３を構成する切込線の間隔は、狭すぎると開口用切取部の切り取りが難しくなり、また広すぎると塵や異物がカートンの中に入り易くなり好ましくない。従って、切取部１３の中央部の最も狭い部分でその間隔は５〜１５ｍｍ、切取部１３の両端の最も広い部分でその間隔は２０〜５０ｍｍ程度であり、より好ましくは、その両端部分は少なくとも指２本分程度の幅に形成するのがよい。
【００３３】
また、前記第１フラップ部１７の長手方向の寸法は、収納されている衛生用紙のカートン長辺方向の寸法（衛生用紙の寸法）に対する比率で表した場合、６５〜１００％程度であることが好ましく、７５〜９５％であればさらに好ましい。この比率が小さくなると衛生用紙が破れたりして取り出しが難しくなり、この比率が大き過ぎると取出口１０より上方に出て保持されるべき衛生用紙が箱内部に落下し易くなるので好ましくない。同様の理由から、開口用切取部１３の長手方向の寸法（中央部の最小となる寸法）は、収納されている衛生用紙のカートン長辺方向の寸法に対する比率で表した場合、５０〜９５％程度であることが好ましく、６５〜８５％であればさらに好ましい。
【００３４】
本発明のカートンは、少なくとも上面に取出口１０を有しているが、さらに、この上面と対向する下面に一対の底上げ部材を形成してもよい。このように下面に底上げ部材を設けることで、残りの衛生用紙が少なくなってきた時、カートンの内側に略９０度折り曲げて、内部の衛生用紙を上面側に押し上げることにより衛生用紙の最後の１枚まで安定してポップアップでき、衛生用紙が取り出し易くなる。
また、上面に本発明の取出口を配置したカートンを側面を下にして垂直に立てて使用するとき、カートンの内側に底上げ部材を折り曲げて使用すると、箱の中の衛生用紙の束がその重みで湾曲したり、下方にずれ下がるのを防止できるために、衛生用紙の取出し性の低下を防ぎ、特に狭い場所において使用するのに便利である。
【実施例】
【００３５】
次に、図面を用いて本発明をさらに説明するが、本発明はこの例に限定されるものではない。図１〜図３は本発明を実施する形態の一例であって、図中、図１と同一の符号を付した部分は同一物を表わし、基本的な箱の構成は従来のもの（ティシュペーパーカートン）と同様である。
【００３６】
図１は箱の上面に、曲線からなるティシュペーパー取出口を設けた本発明のカートンの一例を示す展開図である。図２は図１のカートン上面の取出口からティシュペーパーを取出すときの使用状態の一例を示す斜視図である。また、図３はその断面図であり、カートンの下面に設けた底上げ部材を内側に折り曲げている使用状態の一例を示すものである。
【００３７】
図１に示すように本発明のカートンは、厚紙を所要の展開形状に打ち抜いて折れ線や切込線を入れたカートンブランクを形成し、このブランクを折れ線を介して直方体形状に組み立て使用する。このカートンは、箱の上面にティシュペーパー取出口を設けるもので、下面には箱内のティシュペーパーが残り少なくなったときに取り出しやすいように、また、ティシュぺーパーの落ち込みを防ぐために、底上げするためのプッシュアップ片を設けた例である。図１において、符号１と２は長方形の上面板と下面板であり、両者は対称的に形成されている。３と４は同じく長方形の一対の側面板であり、また５は下面板の一方の側縁に連接した糊代片を示している。上面板１と下面板２は、側面板３と４よりも幅広に形成されている。ティシュペーパー取出口１０は、上面板に形成されている。符号６と７に示すのは上面板１と下面板２と両端縁に連接した端面板であり、８と９は側面板３と４の両端縁に連接した内フラップである。なお、端面板６と７は、カートン製造時に、前記内フラップ８と９の上に折り重ねて筒状の箱本体の両端面を封緘するものである。端面板６と７の寸法は、製箱時に筒状本体の両端面を封緘するときに、端面板の先端部を互いに重ね合せて固着しうる寸法に形成されている。
【００３８】
次にティシュペーパー取出口の構成を実施例について説明する。図１に示したティシュペーパー取出口１０は、上面板1の中央部に長手方向に細長く設けられている。すなわちこの取出口１０は、上面板中央部に、箱の長手方向に所定の間隔を置いた２本のミシン目状の開封用切込線１１、１１と、切込線１１、１１の両端部をそれぞれ連結する波形状の端部切込線１２、１２とによって囲まれ形成されている。
そして、この取出口１０を形成する開口用切取部１３には、切込線１１、１１により囲まれ帯状切取部２４が形成され、また帯状切取部２４の両端に摘み部用折れ線１５を設け、前記端部切込線１２と摘み部用折れ線１５により囲まれた双丘形摘み部（端部切取部）１４が形成される。帯状切取部２４と双丘形の摘み部１４とは一体に形成されて開口用切取部１３を構成し、上面板１から切離して取出口１０を開口する。
【００３９】
図１の切込線１１は内側に湾曲した曲線状の切込線の例である。したがって、帯状切取部２４の幅は中央部分が狭く、両端部に向かって漸増する。さらに、帯状切取部２４に連接する双丘形の摘み部１４は、開封時に指で摘むのに十分に幅が広く、摘み上げやすくなっている。また、波形状の端部切込線１２はつなぎ部（接続部）を有する不連続の切込線で構成されている。
【００４０】
前記開口用切取部１３の両側には、箱の長手方向に伸び、かつ箱の外側に向かってわずかに膨らんだ曲線状折れ線１６によって構成されたヒンジ部を形成している。
そして、前記切込線１１および端部切込線１２によって開口する取出口１０の開口端縁と、曲線状折れ線１６とによって囲まれた横長の第１フラップ部１７が、取出口１０の対向する長辺側に一対になって、中央に突き出すように形成される。
【００４１】
また、波形状の端部切込線１２の外側には、外側に向かって膨らんだ曲線状の折れ線１８を配置して、端部切込線１２と折れ線１８とにより囲まれた舌片状の第２フラップ部１９を形成している。
【００４２】
図２に示すように、切込線１１と端部切込線１２とにより形成される開口用切取部１３は中央程狭幅の形状で、切込み線全体は連続した滑らかな曲線状をなしており、取出口１０両端部の波形状曲線部と、第１フラップ部１７端縁の曲線部により、カートンから取出すティシュペーパー等の衛生用紙を挟み、滑らかに取出しできると共に、カートン内部への紙の落下を防止することができる。特に、ティシュペーパーのように、交互に折り畳んで収納されている場合は、取り出し時に、取り出されるティシュペーパーの取出し方向が交互に変化するため（図３参照）、フラップ端部の挟み部も交互に入れ替わることになるが、上述したように、取出口端部が連続した滑らかな波形状により形成されているため、この挟み部間をティシュペーパーがスムーズに移動することができ、紙の破れや引っ掛かりの防止に優れている。
【００４３】
またヒンジ部を構成する曲線状折れ線１６の端部が破断すると、ティシュペーパーが引き出される時に、引っ掛かりスムーズに引き出しができなくなったり、ティシュペーパーが破れたりするといった問題を引き起こす。ヒンジ部となる曲線状折れ線１６端部の破断を回避するために、曲線状折れ線１６端の部分には、箱の長辺側に向かって湾曲した小さな略円弧状切込線２０を形成する。この小さな略円弧状の形状は、例えば曲率半径が数ｍｍであってもよく、円弧でなく円弧に近い曲線でも構わない。また、円形、楕円形等に打ち抜いてもよい。
【００４４】
また、図１に示すカートンの場合、下面板２に底上げ部材用切込線２１を設け、ヒンジ部となる折れ線２２を設け、切込線２１と折れ線２２により囲まれた一対の底上げ部材２３、２３を形成する。
【００４５】
因みに、図１に示すカートンの場合、長手方向の寸法は、一例として２４２ｍｍであり、短手方向の寸法は１１６ｍｍであり、高さは、５０ｍｍである。また、取出口１０の長手方向の寸法は１８０ｍｍに形成されている。また、取出口１０の開口用切取部１３を構成する２本のミシン目の切込線１１と１１の間隔は、中央の一番幅の狭い部分で９ｍｍに形成されている。取出口１０端部では、指を入れてティシュペーパーを容易に取り出しうる程度の大きさとするのが良い。なお、取出口のヒンジ部を構成する曲線状折れ線１６が円弧状の場合の曲率半径が小さすぎると閉止力が大きくなりすぎ、逆に大きすぎると閉止力が小さくなりすぎる。又、このヒンジ部は円弧でなく円弧に近い曲線でもよく、適切な閉止力が得られればよい。
【００４６】
本発明のカートンにおいては、図２、図３に示すように箱の内部に収納されたティシュペーパーＰを取出すため取出口を開封するときに、左右いずれか一方の第２フラップ部１９を折れ線１８より押し下げて、端部切込線１２の下に指を入れて双丘形摘み部１５を摘み上げ、双丘形摘み部１５とともに一連の開口用切取部１３を切り取り、開口する。開口した取出口１０の幅の広い端部から最上部のティシュペーパーを摘んで上方に引き出すと、一対の第１フラップ部１７、１７は外側に膨らんだ曲線状の折れ線１６に沿って斜め上方に向かって折り曲がり可能であり弾力的に傾斜する。
さらにこれに続く次のティシュペーパーが、開口した部分から引き出され、前記一対の第１フラップ部１７の対向辺間と、第１フラップ部１７の端縁と第２フラップ部１９を含む開口端部とに弾力的に挟み込まれて保持される。また、取出口１０に引き出されるティシュペーパーは、取出口１０を斜めに横切るように、対向する第１フラップ部１７、１７の両縁および、取出口端部の右下と左上のように斜めで向き合う端部に保持されるように引き出すこともできる。
【００４７】
また、前記一対の第１フラップ部１７、１７は、ヒンジとなる折れ線１６をカートン上面の長辺側の外側に向かって膨らんだ円弧状とすることにより、斜め上方に開いた時に閉じ傾向（折り曲げ前の状態に戻ろうとする力）が働く。このために、取出中のティシュペーパーを一対の第１フラップ部１７と第２フラップ部１９で弾力的に挟んで開口部の所定位置に保持する力が働くと共に、中身のティシュペーパーが少なくなっても、ティシュペーパーがカートン内部へ落下するのを防止する。ティシュペーパーを取り出さない時には、フラップ部が折り曲げ前の状態に戻ろうとしてカートンの蓋の役割をはたし、外部の塵や異物の侵入を防止する。
【００４８】
なお、箱内のティシュペーパーの残量が少なくなったときには、図３に示すように、下面板２に設けた一対の底上げ部材２３を箱の内側に折り曲げて使用することができる。すなわち、下面板２の切込線２１を破断し、折れ線２２をヒンジ部として底上げ部材２３をカートンの内側に略９０度折り曲げるもので、それぞれの底上げ部材２３、２３を順に折り曲げる。折り曲げられた底上げ部材２３、２３により、内部のティシュペーパーを上面側に押し上げる。これにより上面の取出口１０からティシュペーパーの最後の１枚まで安定してポップアップさせることができる。
【００４９】
本発明の取出口１０に設ける切込線１１の図１とは異なる例を図４に示す。図４はミシン目状の切込線が２重線で構成されている２組の切込線を設けた例である。図４は、実質的に同一寸法の２本の平行なミシン目からなる２重線（ダブルミシン目線）が１組の切込線として構成されている例であって、上記した２重線（ダブルミシン目線）として構成されている１組の切込線が、開口用切取部１３の両側にそれぞれ配設されている例を示す上面板の平面図である。長短異なる寸法の切込部を有する２本のミシン目を平行に配置し、かつそれぞれのミシン目の切込部を千鳥状に配置した例を示しており、長い切込部を有するミシン目がカートンの内側に位置し、短い切込部を有するミシン目がカートンの外側に位置するように配置されている。開口用切取部１３の両側に、このような切込部の寸法の異なる２種類のミシン目を千鳥状に配置すると、開口用切取部を指で摘んで切り取るとき、ミシン目に沿って凹凸状の切り口が形成されるため見栄えがよく、開口用切取部の縁が毛羽立ったり、ささくれ立ったりすることがなく、不均一なギザギザの切断面にならない。また、開口用切取部を切り取るとき少ない力で簡単に裂開できるので開け易く、切り裂き時の音も小さくできる。
【００５０】
さらに本発明のカートンを、古紙を主体とする多層抄き白板紙で製造したときも、前記のとおり開口用切取部の縁を比較的なめらかに綺麗に切り取ることができるので、印刷や色彩を施した周囲の紙の上層部を薄く剥がし取ること無く切取ることができる（紙層剥離が防止できる）。さらにまた、開口用切取部１３の両側に千鳥状配置となるようした長短異なる寸法の切込部を有する２本の平行なミシン目からなる切込線は、内側のミシン目の切込部を長く、外側のミシン目の切込部を短く形成すると、開口用切取部を切り取るとき、開口用切取部の縁が凹凸状に綺麗に切り裂けるので、切り口の見栄えがよくなるものである。
なお図示省略したが、切込線は、直線状でなければならない必要性はなく、波刃により波形に設けてもよい。さらにこの切込線はマイクロ刃と呼ばれる通常のミシン目より細かい切れ目でもよく、これらはすべて本発明の切込線として用いることができる。
【００５１】
図５は、図１、図４とは別の例を示し、上面板１に設けられた取出口１０を形成する第１フラップ部１７の外側の曲線状折れ線１６の両端を太く浅い型押し筋で形成しているものであり、下面板にはワンプッシュで押し上げできる底上げ部材を設けた例を示す平面図である。図６は図５の取出口端部の拡大平面図である。
【００５２】
切込線１１により開設される取出口１０において、第１フラップ部１７のヒンジ部を構成する曲線状折れ線１６端部は、衛生用紙を箱から取り出す作業を繰り返し行う間に破断しやすい部分である。この部分の破断を回避するために図１の実施例に示すような略円弧状切込線２０を設ける代わりに、図６の拡大図に示すように、曲線状折れ線１６の端部を太くしている。曲線状折れ線１６の中央部を構成する通常の折れ線は、カートンのブランクの紙厚全体に折筋を刻設している。図６に示す曲線状折れ線１６の端部に施される折筋は、ブランクの紙厚の半分程度の深さの折筋を刻設した、浅い折筋で、さらに中央部分の折れ筋の３本分の幅の折筋を刻設している。通常の折筋の３本分の幅の折筋を設けることで３倍の太さに形成されている。このように衛生用紙の取り出しを繰り返し、第１フラップ部１７が曲折することで破断しやすかった曲線状折れ線１６端部を、浅く、かつ太い折れ線とすることで、強化し、破断を回避することができるようにしたものである。
【００５３】
また、図５に示す下面板に設けられた底上げ部材は、半円状の切込線２１により形成された底上げ部材２３が左右に分離され、それぞれ折れ線２２をヒンジ部として折り曲げ可能に形成されている。左右対称に形成された底上げ部材２３はワンプッシュで左右同時に箱の内側に折り曲げることができる。
【００５４】
図７、図８は本発明のカートンの底上げ部材の変形例である。また、これらは、図５の底上げ部材と形状の異なるもので、切込線２１により囲まれ、折れ線２２をヒンジ部として下面板２に折り曲げ可能に形成されている。底上げ部材２３は、図７が左右対称の形状の楕円形状の一例であり、図８は先端中央に凹みが形成された曲線により構成された一例で、底上げ部材の形状はここに図示したものに限定されず、曲線、折れ線などいろいろな形状のものが使用可能である。
【００５５】
図９は、図１、図４、図５とは別の実施例を示すものである。この実施例も蝶ネクタイ形の開口用切取部１３が形成されたティシュペーパー取出口を備えた上面板の平面図である。
箱の上面の中央長手方向に伸びる２本または２組の切込線１１は、中央の部分が箱幅方向に所定間隔をおいて平行で、その一端部から箱長手方向両端部に向かってその幅が漸増するような斜めに広がった形状に設けられている。平行な切込線と斜めに広がった切込線とが中央部付近で接続するように構成され、斜めに広がった切込線の端部には波形状の端部切込線１２が設けられている。
切込線１１により囲まれて開口用切取部１３が形成され、その開口用切取部１３の両端付近には折れ線１５を設け、端部切込線１２により囲まれた双丘形摘み部（端部切取部）１４を形成している。すなわち開口用切取部１３は、その中央部の帯状切取部２４と、両端部に一体に形成された双丘形摘み部１４から形成され、これを上面板１から切り取り、取出口１０が開口する。取出口１０は蝶ネクタイ形に似た形状に形成されている。
また、切込線１１、１１の外側には、上面板１の長辺の端縁に向かって膨らんだ曲線状の折れ線１６によって構成された第１ヒンジ部を形成し、曲線状の折れ線１６と切込線１１とによって囲まれた略台形で横長の第１フラップ部１７が一対形成される。また双丘形の摘み部１４の外側にも、上面板１の短辺に平行な折れ線１８を設け、端部切込線１２と折れ線１８とにより囲まれた舌片状の第２フラップ部１９が形成される。
図９に示す取出口１０は、開封の手順や衛生用紙を取り出す際の第１フラップ部１７、第２フラップ部１９の作用などは、図１に示したものと同様である。
【００５６】
またこの実施例でもカートンのティシュペーパー取出口１０が上面板の中央に左右前後対称の形状に形成されているから、カートンの左右の差別がない。従って使用者は、利き手に左右されずに使用できる。また使用時のカートンの置き方も、横置き、縦置き何れも使用可能で、狭い場所において使用することができる。また、収納されたティシュペーパーの残りが少なくなったときにも、中身のティシュペーパーの取出性が低下しない。
【００５７】
図１０は、本発明のテッシュペーパー取出口部の別例を示す平面図であり、図１１は図１０に示す取出口部の要部拡大図である。
この実施例に示す衛生用紙入りカートンは、テッシュペーパー取出口１０を形成する切取部１３が、中間の帯状切取部２４とその両端部に位置する端部切取部１４とにより区分されて構成されていることは先に説明した実施例と同じである。相違する点は、両切取部分１４と２４が、つなぎ（接続部）を有する不連続の切込線２５と２６とによって分割分離できるように構成されている点である。
【００５８】
すなわち、本例に示すカートンは、中間の帯状切取部と、両端部に位置する端部切取部の何れか一方又は双方に対する使用者のニーズに合わせた切取除去が行えるようにして、取出口１０の開口面積を調節可能にしたものである。具体的に説明すると、取出口１０を切取除去しようとするときカートンの使用者が小さい取出口が欲しいときは、使用者が端部切取部１４を除去しなければ、箱の中にゴミが入りにくくなり、またカートンの使用者が大きな取出口が欲しいときは、使用者が端部切取部１４を除去すれば取出口の開口面積が大きくなるから、テッシュペーパーの取り出がしやすくなるのである。
【００５９】
また、本例に示したカートンは、中間に位置する帯状切取部２４の長手方向両端部に、取出口を開封する際に必要な、指先押込部２７、２７を帯状切取部２４の両端に相対向して対となるように形成させたものである。この指先押込部２７、２７は、指先孔２８を形成するためほぼ扇形をした円弧状切込線２５、２５が帯状切取部の長手方向両端部に食い込んで互いに向き合うように設けられている。また、前記ほぼ扇形をした円弧状切込線２５の両端基部に連なる直線状切込線２６，２６を設けることで、中間の帯状切取部２４と、その両端部に位置する端部切取部１４が分離分割できるように構成されている。そして、前記ほぼ扇形をした円弧状切込み線２５、２５と第１フラップ部１７との間に、ティシュペーパーの端部を挟み込むための保持部２９が形成されている。尚、ここでいう「扇形をした円弧状切込線」とは、図１０に示した１８０度円弧状切込線のみならず、図示省略した９０度円弧状切込線、及び９０度以下の鋭角を含む円弧状切込線を含む概念である。
【００６０】
上記の構成において、上記取出口１０を切取除去するときは、ほぼ扇形をした円弧状切込線２５、２５で囲われた前記指先押込部２７、２７の一方に対し指先を押圧して開被した後、その指先を指先孔２８に引っ掛けた状態のまま裏側に滑り込ませて中間の帯状切取部２４を引き上げる。さらに図１２に示されるようにその帯状切取部を切込み線１１に沿って端の方から上方に引き上げて帯状切取部２４を除去する。このとき千切れやすい帯状切取部２４は、切込線１１の方向に裂開するので、少ない力で裂開でききるとともに、帯状切取部２４を切取った際に周囲の紙を剥がして外観を損なうこともない。
【００６１】
次に、取出口の開口面積の調節方法を説明する。図１３（Ａ）は、テッシュペーパー取出口を形成する切取部において、中間の帯状切取部を除去し、両端部に位置する端部切取部を両方とも残した状態を示した状況を示す図である。図１３（Ｂ）は、テッシュペーパー取出口を形成する切取部において、中間の帯状切取部と、両端部に位置する端部切取部の一方を除去し、他方を残した状況を示す図である。
また、図１４（Ａ）はテッシュペーパー取出口を形成する切取部を全面開封した状況を示す図である。図１４（Ｂ）は、テッシュペーパー取出口を形成する切取部において、両端部に位置する端部切取部を除去し、中間の帯状切取部を残した状態を示した状況を示す図である。
図中、斜線を施した区域は、開封個所を示している。このように、カートンを開封する際に、使用者それぞれのニーズに合わせて、図１３（Ａ〜Ｂ）または図１４（Ａ〜Ｂ）に示したように、ティシュペーパー取出口を形成する切取部の開口面積を大きくも小さくも調節できるという効果がある。
【００６２】
また、上記構成において、図１３（Ａ）に示すように、指先押込部２７、２７を端部切取部１４と連結した状態でその内側に対向するように残存させたときは、この残存する指先押込部２７、２７の形状はほぼ扇形をした円弧状に形成されているから、箱内から最初のティシュペーパーを取出口１０から上方に向けて引出すときは、ティシュペーパーを取り出す際に指先押込部２７はティシュペーパーのガイドとして機能する。すなわちティシュペーパーは、指先押込部２７の円弧状部に沿って緩やかに絞り込まれて引っ掛かることなくスムーズに取り出される。
さらに上記引出されたティシュペーパーに追随してカートンから引きだされた次のティシュペーパーの端部が、円弧状の指先押込部２７に沿って緩やかに絞りこまれて保持部２９に入り込み、その保持部２９はティシュペーパーの端部を挟み込んで立てた状態に保持する。したがって、ティシュペーパーの取出し性が一層良好となるのである。
【００６３】
本発明は、上記した実施の形態に限定されるものではなく、本発明の要旨を逸脱しない範囲内において種々変更を加え得ることは勿論である。例えば、帯状切取部や端部切取部の裏面に、くじ、或いは占いなどを適宜印刷しておけば、帯状切取部や端部切取部を切取る楽しさを味わえる。また、点数や景品引き換え券を印刷しておけば、点数を集める楽しみ、プレゼントをもらえる楽しみを提供できる。
【００６４】
また、第１フラップ部のヒンジを構成する曲線状折れ線１６は、必要とされる応力の程度に応じて通常の折り筋線のほか、ミシン目で構成することもでき、さらに折り筋線とミシン目が交互に繰り返すように構成させる等の手段により、第１フラップ部１７の開閉を容易にするものであってもよい。
さらに図１０の例では、両切取部１４と２４が、切込線２５と２６とによって分割分離できるように構成して、指先押込部２７を端部切取部１４に一体となるように設けたが、図１５（Ａ）または（Ｂ）に示したように、帯状切取部と端部切取部の境界部の直線状切取り線を折れ線１５に代え、指先押込部２７により開口部を形成してから、帯状切取部２４と端部切取部１４の全体を切取るようにすることもできる。
【００６５】
また、カートンを開封する際に、開口用切取部１３が破断したり、開口部の周辺部に切れ目が生じたりしないようにするためには、カートンの材質を考慮する必要がある。本発明におけるカートンは、木材パルプ、古紙などを原料とする厚紙により製造することが好ましく、この場合、ＪＩＳＰ８１１６−２０００に規定する引裂強度が、縦方向２５００〜２９００ｍＮ、横方向３０００〜３４００ｍＮの範囲であることが好ましい。引裂強度が低すぎると破断し易く、必要以上に引裂強度があると開口部が形成しにくくなったりするため、好ましくない。尚、従来の衛生用紙入りカートンにおいては、ＪＩＳＰ８１１６−２０００に規定する引裂強度が、縦方向２３００ｍＮ程度、横方向２８００ｍＮ程度の厚紙が使用されており、本発明においては、取出口の構造上、従来より強度アップした厚紙を使用することが好ましいと言える。
【００６６】
また、本発明のフィルムレスカートンは、以下の点において、従来提案されている他のフィルムレスカートンより優れ、従来のフィルム付きカートンと同様の効果が得られることが確認できた。すなわち本発明のフィルムレスカートンは、手指を痛めることなく、容易に開封ができ、箱内部に積層されて収納されている紙の一組目を取出口から取出し易く、また、２組目以後の紙も取出口から外部に引出すときに、縦方向に一直線状に取出したり、斜め方向にクロスさせて引出すことが可能であるから、使用者は利き手に左右されずに使用できる。また、カートンの取出口においてティシュの触れる部分が少なく、かつ開口部形状が滑らかなので、ティシュを一組ずつ取り出す際に、
（1）ティシュを取り出す際の音が、従来のフィルム付きカートンとほぼ同程度に小さい。（2）ティシュを取り出す際の紙紛の発生が少ない。
【図面の簡単な説明】
【００６７】
【図１】箱上面に、ティシュペーパー取出口を設けた本発明のカートンブランクの一例を示す展開図である。
【図２】カートン上面の取出口からティシュペーパーを取り出すときの使用状態の一例を示す斜視図である。
【図３】箱下面に設けた底上げ部材を箱内側に折り曲げて使用している状態を示す断面図である。
【図４】本発明のカートンのティシュペーパー取出口の中間部を形成する切込線が２重線の切込線で形成されている例を示す箱上面の平面図である。
【図５】ティシュペーパー取出口において、第１フラップ部のヒンジ部を構成する曲線状折れ線端部が、太く、浅い折れ線により形成される本発明のカートンの変形例を示す展開図である。
【図６】第１フラップ部の両側に設けられた折れ線を、太く、浅い型押し筋で形成した部分拡大平面図である。
【図７】箱下面に形成される底上げ部材の変形例を示す下面板の平面図である。
【図８】図７とはまた別の底上げ部材の変形例を示す下面板の平面図である。
【図９】テッシュペーパー取出口部の他の例を示す平面図である。
【図１０】テッシュペーパー取出口部の別例を示す平面図である。
【図１１】図１０に示す取出口部分の要部拡大図である。
【図１２】同上取出口部の開封状況を示す斜視図である。
【図１３】（Ａ）は中間の帯状切取部を除去し、両端部に位置する端部切取部を両方とも残した状況を示す平面図、また（Ｂ）は中間の帯状切取部と端部切取部の一方を除去した例を示す平面図である。
【図１４】（Ａ）は帯状切取部と、端部切取部の両方とも除去した状況を示す平面図、また（Ｂ）は中間の帯状切取部を残し、両端部に位置する端部切取部を除去した状況を示す平面図である。
【図１５】（Ａ）〜（Ｂ）は指先押込部の変形例を示す平面図である。
【符号の説明】
【００６８】
１    上面板
２    下面板
３、４    側面板
５    糊代片
６、７    端面板
８、９    内フラップ
１０  取出口
１１  切込線
１２  端部切込線
１３  切取部（開口用切取部）
１４  端部切取部（摘み部）
１５  折れ線
１６  曲線状折れ線
１７  第１フラップ部
１８  折れ線
１９  第２フラップ部
２０  略円弧状切込線
２１  切込線
２２  折れ線
２３  底上げ部材
２４  帯状切取部
２５  ほぼ扇形をした円弧状切込線
２６  直線状切込線
２７  指先押込部
２８  指先孔
２９  保持部
【図１】
2005225562.tif 000003
【図２】
2005225562.tif 000004
【図３】
2005225562.tif 000005
【図４】
2005225562.tif 000006
【図５】
2005225562.tif 000007
【図６】
2005225562.tif 000008
【図７】
2005225562.tif 000009
【図８】
2005225562.tif 000010
【図９】
2005225562.tif 000011
【図１０】
2005225562.tif 000012
【図１１】
2005225562.tif 000013
【図１２】
2005225562.tif 000014
【図１３】
2005225562.tif 000015
【図１４】
2005225562.tif 000016
【図１５】
2005225562.tif 000017